(57)【要約】【課題】ユーザからの適用する信号フォーマットの変更要求に即応可能であり、信頼性の高いＯＶＰＮを実現する。【解決手段】ユーザ側にユーザ装置を収容する拠点装置を設け、ユーザ装置とＯＶＰＮ終端装置との間の制御チャネルを当該拠点装置が中継する構成とし、当該拠点装置では、制御チャネルの障害を監視し、障害発生時には他の拠点装置と連携して障害が発生していない制御チャネルを用いて通信を維持する。また、制御チャネルの障害発生がＯＶＰＮ終端装置に起因する場合には、障害発生時には他のＯＶＰＮ終端装置と連携して障害が発生していない制御チャネルを用いて通信を維持する。【選択図】  図１
2004193660.tif 000002
【特許請求の範囲】
【請求項１】
ＯＶＰＮ（Ｏｐｔｉｃａｌ  Ｖｉｒｔｕａｌ  Ｐｒｉｖａｔｅ  Ｎｅｔｗｏｒｋ）加入者のユーザ装置が用いる第一の信号フォーマットと前記ＯＶＰＮが用いる前記第二の信号フォーマットとが異なる場合に前記第一の信号フォーマットと当該第二の信号フォーマットとを相互に変換する手段を備え、
当該相互に変換する手段は、複数の異なる前記第一の信号フォーマットに対応して複数設けられたＯＶＰＮと前記ユーザ装置との間に介挿された拠点装置において、
同一のＶＰＮＩＤに係わる当該拠点装置のグループを記録する手段と、
制御チャネルまたはデータチャネルの障害発生を検出する手段と、
この検出する手段が障害発生を検出したときには、前記記録する手段を参照して同一グループの他の拠点装置に処理の代行を要求する手段と
を備えたことを特徴とする拠点装置。
【請求項２】
ＯＶＰＮ加入者のユーザ装置が用いる第一の信号フォーマットと前記ＯＶＰＮが用いる前記第二の信号フォーマットとが異なる場合に前記第一の信号フォーマットと当該第二の信号フォーマットとを相互に変換する手段を備え、
当該相互に変換する手段は、複数の異なる前記第一の信号フォーマットに対応して複数設けられたＯＶＰＮ加入者のユーザ装置を収容するＯＶＰＮ終端装置と前記ユーザ装置との間に介挿され、複数のＯＶＰＮ終端装置に接続された拠点装置において、
同一のＶＰＮＩＤに係わる前記ＯＶＰＮ終端装置のグループを記録する手段と、
制御チャネルまたはデータチャネルの障害発生を検出する手段と、
この検出する手段が障害発生を検出したときには、前記記録する手段を参照して同一グループの他の前記ＯＶＰＮ終端装置が当該制御チャネルに障害が発生した前記ＯＶＰＮ終端装置に代行して処理を行うように要求する手段と
を備えたことを特徴とする拠点装置。
【請求項３】
前記ユーザ装置と前記ＯＶＰＮとを切り分ける手段と、
前記ＯＶＰＮから送出された試験光を再び前記ＯＶＰＮに折り返す手段と
を備えた請求項１または２記載の拠点装置。
【請求項４】
ＯＶＰＮ加入者のユーザ装置が用いる第一の信号フォーマットと前記ＯＶＰＮが用いる前記第二の信号フォーマットとが異なる場合に前記第一の信号フォーマットと当該第二の信号フォーマットとを相互に変換する手段を備え、
当該相互に変換する手段は、複数の異なる前記第一の信号フォーマットに対応して複数設けられたＯＶＰＮ加入者のユーザ装置を収容するＯＶＰＮ終端装置において、
同一のＶＰＮＩＤに係わる他ＯＶＰＮ終端装置のグループを記録する手段と、
制御チャネルまたはデータチャネルの障害発生を検出する手段と、
この検出する手段が障害発生を検出したときには、前記記録する手段を参照して同一グループの他ＯＶＰＮ終端装置が当該制御チャネルに障害が発生した自ＯＶＰＮ終端装置に代行して処理を行うように要求する手段と
を備えたことを特徴とするＯＶＰＮ終端装置。
【請求項５】
請求項１ないし３のいずれかに記載の拠点装置または請求項４記載のＯＶＰＮ終端装置を備えたことを特徴とする光通信網。
【発明の詳細な説明】
【０００１】
【発明の属する技術分野】
本発明は、ＶＰＮ（Ｖｉｒｔｕａｌ  Ｐｒｉｖａｔｅ  Ｎｅｔｗｏｒｋ）に関する。特に、様々なレイヤ１信号を収容可能で、レイヤ１ＶＰＮやＯＶＰＮ（ＯＶＰＮ）と呼ばれるＶＰＮに関する。
【０００２】
【従来の技術】
ＶＰＮは、公衆ネットワークを利用しながら、あたかもプライベートにネットワークを利用しているような環境をユーザに提供するサービスである。図８は従来のＯＶＰＮ構成例を示す図であるが、従来の技術では、図８に示すように、ユーザが拠点間でＯＶＰＮ（ＯＶＰＮ）を構成する場合に、拠点間に光専用線１２３〜１２５をネットワークプロバイダから借りて接続し、ＯＶＰＮを構成するのが一般的である。この場合に、光専用線１２３〜１２５は、光クロスコネクト装置（以下では、ＯＸＣと記す）１０〜１２によって設定される。また、ＯＸＣ１０〜１２は、ＯＶＰＮ制御端末１３〜１５から制御用専用線１〜６によって設定される。ＯＶＰＮ制御端末１３〜１５をユーザに提供する場合には、ネットワークプロバイダが保有するＯＸＣ１０〜１２の一部機能の制御をユーザが行えるようにしている。
【０００３】
このようなＯＶＰＮにおいて、レイヤ１信号をトランスペアレントに伝達する機能を有する専用線を構成する技術として、ＳＤＨ／ＳＯＮＥＴや、ＯＴＮ（Ｏｐｔｉｃａｌ  Ｔｒａｎｓｐｏｒｔ  Ｎｅｔｗｏｒｋ）という技術がある。様々なレイヤ１信号（例えば、ＰＤＨ、Ｅｔｈｅｒｎｅｔ（登録商標）、Ｇｉｇａｂｉｔ  Ｅｔｈｅｒｎｅｔ、Ｆｉｂｅｒｃｈａｎｎｅｌ、ＳＤＨ／ＳＯＮＥＴ、ＯＴＮ等）を、網の入口でＳＤＨ／ＳＯＮＥＴのパスペイロード、あるいはＯＴＮの光チャネル（ＯＣｈ）ペイロードに収容する信号変換器と、網の出口でペイロードから収容したレイヤ１信号を取り出して出力する信号変換器を介して伝達することで、レイヤ１のディジタル信号をトランスペアレントに伝達する機能を提供している。現状の技術レベルでは、Ｇｉｇｂｉｔ  ＥｔｈｅｒｎｅｔとＦｉｂｅｒｃｈａｎｎｅｌといった、一部の例外を除くと、同一の信号変換器で複数のレイヤ１信号を取り扱うことができない。
【０００４】
したがって、ＯＶＰＮを上述の信号変換器を用いて構成した場合に、ＯＶＰＮを利用するユーザは、予め使用するレイヤ１信号をＯＶＰＮ提供者に届け出を行い、所望の信号変換器をＯＶＰＮの終端装置に配備してもらわなくてはならない（例えば、非特許文献１参照）。
【０００５】
【非特許文献１】
三澤、片山、岡本、山中“Ｏｐｔｉｃａｌ  ＶＰＮサービスの提案”２００２信学ソサエティ大会ＳＢ−６−４
【０００６】
【発明が解決しようとする課題】
このように、従来のＯＶＰＮでは、レイヤ１信号をトランスペアレントに伝達するという機能を提供することは可能であるが、収容するレイヤ１信号をＯＶＰＮユーザが変更したいという要求に対しては、信号変換器の取替えやファイバの接続変更といった作業が必要となり、ユーザからの変更要求に対して即応できないという問題がある。
【０００７】
本発明は、このような背景に行われたものであって、ユーザからの適用する信号フォーマットの変更要求に即応可能であり、信頼性の高いＯＶＰＮを提供することを目的とする。
【０００８】
【課題を解決するための手段】
本発明は、ＯＶＰＮのユーザが用いる複数のＬ１信号種別に対応するために、複数種類の信号変換を行うことができるＯＶＰＮ終端装置を用いることを特徴とするＯＶＰＮシステムにおいて、ユーザ側とＯＶＰＮ側との信号伝送に際し、ユーザ側にユーザ装置を収容する拠点装置を設け、ユーザ装置とＯＶＰＮ終端装置との間の制御チャネルおよびデータチャネルを当該拠点装置が中継する構成とし、当該拠点装置では、制御チャネルおよびデータチャネルの障害を監視し、障害発生時には他の拠点装置と連携して障害が発生していない制御チャネルまたはデータチャネルを用いて通信を維持することを第一の特徴とする。これにより、拠点装置に起因する制御チャネルまたはデータチャネルの障害に対処することができる。
【０００９】
また、制御チャネルまたはデータチャネルの障害発生がＯＶＰＮ終端装置に起因する場合には、障害発生時には他のＯＶＰＮ終端装置と連携して障害が発生していない制御チャネルまたはデータチャネルを用いて通信を維持することを第二の特徴とする。
【００１０】
すなわち、本発明の第一の観点は、ＯＶＰＮ加入者のユーザ装置が用いる第一の信号フォーマットと前記ＯＶＰＮが用いる前記第二の信号フォーマットとが異なる場合に前記第一の信号フォーマットと当該第二の信号フォーマットとを相互に変換する手段を備え、当該相互に変換する手段は、複数の異なる前記第一の信号フォーマットに対応して複数設けられたＯＶＰＮと前記ユーザ装置との間に介挿された拠点装置である。
【００１１】
ここで、本発明の特徴とするところは、同一のＶＰＮＩＤに係わる当該拠点装置のグループを記録する手段と、制御チャネルまたはデータチャネルの障害発生を検出する手段と、この検出する手段が障害発生を検出したときには、前記記録する手段を参照して同一グループの他の拠点装置に処理の代行を要求する手段とを備えたところにある。
【００１２】
さらに、本発明の拠点装置は、複数のＯＶＰＮ終端装置に接続され、同一のＶＰＮＩＤに係わる前記ＯＶＰＮ終端装置のグループを記録する手段と、制御チャネルまたはデータチャネルの障害発生を検出する手段と、この検出する手段が障害発生を検出したときには、前記記録する手段を参照して同一グループの他の前記ＯＶＰＮ終端装置が当該制御チャネルに障害が発生した前記ＯＶＰＮ終端装置に代行して処理を行うように要求する手段とを備えたことを特徴とする。
【００１３】
さらに、本発明の拠点装置は、前記ユーザ装置と前記ＯＶＰＮとを切り分ける手段と、前記ＯＶＰＮから送出された試験光を再び前記ＯＶＰＮに折り返す手段とを備えることもできる。
【００１４】
本発明の第二の観点は、ＯＶＰＮ加入者のユーザ装置が用いる第一の信号フォーマットと前記ＯＶＰＮが用いる前記第二の信号フォーマットとが異なる場合に前記第一の信号フォーマットと当該第二の信号フォーマットとを相互に変換する手段を備え、当該相互に変換する手段は、複数の異なる前記第一の信号フォーマットに対応して複数設けられたＯＶＰＮ加入者のユーザ装置を収容するＯＶＰＮ終端装置である。
【００１５】
ここで、本発明の特徴とするところは、同一のＶＰＮＩＤに係わる他ＯＶＰＮ終端装置のグループを記録する手段と、制御チャネルまたはデータチャネルの障害発生を検出する手段と、この検出する手段が障害発生を検出したときには、前記記録する手段を参照して同一グループの他ＯＶＰＮ終端装置が当該制御チャネルに障害が発生した自ＯＶＰＮ終端装置に代行して処理を行うように要求する手段とを備えたところにある。
【００１６】
本発明の第三の観点は、本発明の拠点装置またはＯＶＰＮ終端装置を備えたことを特徴とする光通信網である。
【００１７】
【発明の実施の形態】
（第一実施例）
第一実施例を図１ないし図３を参照して説明する。図１は第一実施例のＯＶＰＮ構成例を示す図である。図２は第一実施例の拠点装置のブロック構成図である。図３は第一実施例の拠点装置の動作を示すフローチャートである。説明を簡単化するために、図１では、左上のユーザ装置２０−１〜４から左下のユーザ装置２１−１〜４への信号が伝送される例を示しているが、通常の通信は、同時に反対方向へも信号が伝送される。また、図１に示すＯＶＰＮ終端装置３０および８０、網制御装置４０および６０、光クロスコネクト装置５０および７０はそれぞれ同一構成の装置であり、以下では、説明を簡単化するために、主としてＯＶＰＮ終端装置３０、網制御装置４０、光クロスコネクト装置５０について説明し、ＯＶＰＮ終端装置８０、網制御装置６０、光クロスコネクト装置７０の同一内容の説明は省略する。
【００１８】
網制御装置４０により光クロスコネクト装置５０の方路が設定され、拠点間にＳＤＨ網を介したＯＶＰＮが構成される。なお、網制御装置４０は、各拠点のユーザ装置２０−１〜４、２１−１〜４により制御することができる。
【００１９】
第一実施例では、ＯＶＰＮ終端装置３０は、ユーザ装置２０−１、２０−２、２１−１に適用された第一の信号フォーマットであるＧｉｇａｂｉｔ  ＥｔｈｅｒｎｅｔまたはＡＴＭとＯＶＰＮに適用された前記第一の信号フォーマットとは異なる第二の信号フォーマットであるＳＤＨとを相互に変換する信号変換器であるコンバータ３３、３４を備え、当該コンバータ３３、３４は、複数の異なる前記第一の信号フォーマットに対応して複数設けられる。どのコンバータ３３または３４を用いるかは、光スイッチ３２を制御して決定する。
【００２０】
すなわち、拠点装置２３−１〜３がＯＶＰＮ終端装置３０とユーザ装置２０−１〜４との間に介挿されている。第一実施例では、拠点装置２３−１〜３は、図２に示すように、同一のＶＰＮＩＤに係わる当該拠点装置のグループを記録するデータベース２７と、制御チャネルまたはデータチャネルの障害発生を検出する障害検出部２５と、この障害検出部２５が障害発生を検出したときには、データベース２７を参照して同一グループの他の拠点装置に処理の代行を要求する代行処理要求部２６とを備える。
【００２１】
なお、ユーザサービス部２８は、ユーザ装置を収容してユーザの利便性を向上させる機能を有するが、この機能は本発明とは直接関係無い。ユーザサービス部２８の機能を例示すると、ＯＶＰＮでは、制御チャネルが設定される制御線とデータチャネルが設定されるデータ線とがあり、ユーザは、ユーザ装置をこの２本の伝送路にそれぞれ接続する必要があるが、ユーザ装置とユーザサービス部２８との間は制御チャネルとデータチャネルとを多重して伝送することにより、１本の伝送路で結び、ユーザサービス部２８が制御チャネルとデータチャネルとをそれぞれ制御線とデータ線とに振り分けることにより、ユーザの伝送路接続工程の手間を省くことができる。あるいは、ユーザは、ユーザ装置が用いる信号フォーマットをＯＶＰＮ終端装置に通知する必要があるが、ユーザサービス部２８がユーザ装置の用いる信号フォーマットを自動的に検出し、これをユーザに代わってＯＶＰＮ終端装置に通知することにより、ユーザの信号フォーマット通知工程の手間を省くことができる。
【００２２】
次に、第一実施例の拠点装置の動作を図１〜図３を参照して説明する。図３は第一実施例の拠点装置の動作を示すフローチャートである。図１における拠点装置２３−１およびユーザ装置２０−１に着目して説明する。障害検出部２５が自拠点装置に起因する制御チャネルまたはデータチャネルの障害発生を検出すると（ステップ１）、その旨を代行処理要求部２６に伝達する。制御チャネルの障害発生を知らされた代行処理要求部２６では、データベース２７を検索し（ステップ２）、同一ＶＰＮＩＤの他拠点装置が有るか否かを調べる（ステップ３）。図１の例では、拠点装置２３−２が同一ＶＰＮＩＤ“ａ”を有するので、拠点装置２３−１は、拠点装置２３−２に対して代行処理を要求する（ステップ４）。拠点装置２３−２は、これを受けて拠点装置２３−１に代わりユーザ装置２０−１に対するサービスを代行する。もし、拠点装置２３−１と同一ＶＰＮＩＤを有する他拠点装置が見つからないときには、ユーザ装置２０−１に対して警報を発出し（ステップ５）、制御チャネルまたはデータチャネルの障害を通知する。
【００２３】
なお、ユーザサービス部２８は、他拠点装置からの代行処理要求を受け付けると、これに応えて代行処理を行う機能を有する。
【００２４】
なお、ＯＶＰＮ内では、障害発生を検出したノードが障害通知広告パケットを送出することになっている。障害検出部２５は、この障害通知広告パケットを受信することにより障害発生を検出する。また、自拠点装置の障害発生を検出したときには、障害検出部２５が他ノードに対して障害通知広告パケットを送出する。ユーザへの警報は、自拠点装置が収容するユーザ装置が用いる信号フォーマットに変換されて送出される。
【００２５】
（第二実施例）
第二実施例を図４を参照して説明する。図４は、第二実施例のＯＶＰＮ構成の一部分を示す図である。なお、拠点装置の構成は図２に示した第一実施例と同じである。第二実施例は、複数のＯＶＰＮ終端装置３０−１および３０−２に拠点装置２３−１および２３−３がそれぞれ共通に接続されている。ここでは、拠点装置２３−１およびＯＶＰＮ終端装置３０−１および３０−２について説明する。第二実施例の拠点装置２３−１は、図４に示すように、複数のＯＶＰＮ終端装置３０−１および３０−２に接続され、図２に示すように、同一のＶＰＮＩＤに係わるＯＶＰＮ終端装置３０−１および３０−２のグループを記録するデータベース２７と、制御チャネルおよびデータチャネルの障害発生を検出する障害検出部２５と、この障害検出部２５がＯＶＰＮ終端装置３０−１に起因する制御チャネルまたはデータチャネルの障害発生を検出したときには、データベース２７を参照して同一グループの他のＯＶＰＮ終端装置３０−２が当該制御チャネルに障害が発生したＯＶＰＮ終端装置３０−１に代行して処理を行うように要求する代行処理要求部２６とを備える。
【００２６】
次に、第二実施例の拠点装置の動作を図５を参照して説明する。図５は第二実施例の拠点装置の動作を示すフローチャートである。図４における拠点装置２３−１およびＯＶＰＮ終端装置３０−１および２に着目して説明する。障害検出部２５がＯＶＰＮ終端装置３０−１に起因する制御チャネルまたはデータチャネルの障害発生を検出すると（ステップ１）、その旨を代行処理要求部２６に伝達する。制御チャネルの障害発生を知らされた代行処理要求部２６では、データベース２７を検索し（ステップ２）、同一ＶＰＮＩＤの他ＯＶＰＮ終端装置が有るか否かを調べる（ステップ３）。図４の例では、ＯＶＰＮ終端装置３０−２が同一ＶＰＮＩＤ“ａ”を有するので、拠点装置２３−１は、ＯＶＰＮ終端装置３０−２に対して代行処理を要求する（ステップ４）。ＯＶＰＮ終端装置３０−２は、これを受けてＯＶＰＮ終端装置３０−１に代わり拠点装置２３−１に対するサービスを代行する。もし、ＯＶＰＮ終端装置３０−１と同一ＶＰＮＩＤを有する他ＯＶＰＮ終端装置が見つからないときには、ユーザ装置２０−１に対して警報を発出し（ステップ５）、制御チャネルまたはデータチャネルの障害を通知する。
【００２７】
なお、ＯＶＰＮ終端装置は、拠点装置からの代行処理要求を受け付けると、これに応えて代行処理を行う機能を有する。
【００２８】
（第三実施例）
第三実施例を図６を参照して説明する。図６は第三実施例のＯＶＰＮ終端装置の特徴を表すブロック構成図である。図６のブロック構成は、図１に示すＯＶＰＮ終端装置３０の光スイッチ制御装置３１の一部に設けられる。第三実施例のＯＶＰＮ終端装置３０は、図６に示すように、同一のＶＰＮＩＤに係わる他ＯＶＰＮ終端装置のグループを記録するデータベース３７と、制御チャネルおよびデータチャネルの障害発生を検出する障害検出部３５と、この障害検出部３５が障害発生を検出したときには、データベース３７を参照して同一グループの他ＯＶＰＮ終端装置３０−２が当該制御チャネルまたはデータチャネルに障害が発生した自ＯＶＰＮ終端装置３０−１に代行して処理を行うように要求する代行処理要求部３６とを備える。
【００２９】
第三実施例の動作は図５に示す第二実施例の動作と同じである。ただし、第二実施例では、拠点装置において障害発生検出を行うが第三実施例では、ＯＶＰＮ終端装置において障害発生検出を行う。
【００３０】
前述したように、ＯＶＰＮ内では、障害発生を検出したノードが障害通知広告パケットを送出することになっている。障害検出部３５は、この障害通知広告パケットを受信することにより障害発生を検出する。また、自ＯＶＰＮ終端装置の障害発生を検出したときには、障害検出部３５が他ノードに対して障害通知広告パケットを送出する。
【００３１】
（第四実施例）
第四実施例を図７を参照して説明する。図７は第四実施例の拠点装置における試験装置構成を示す図である。図７に示す試験装置は拠点装置に設けられ、ユーザ装置２０−１とＯＶＰＮとを切り分け、ＯＶＰＮから送出された試験光を再びＯＶＰＮに折り返すための折り返し制御器９０および光スイッチ９１を備える。
【００３２】
【発明の効果】
以上説明したように、本発明によれば、ユーザからの適用する信号フォーマットの設定要求変更に即応可能であり、信頼性の高いＯＶＰＮを実現することができる。
【図面の簡単な説明】
【図１】第一実施例のＯＶＰＮ構成例を示す図。
【図２】第一実施例の拠点装置のブロック構成図。
【図３】第一実施例の拠点装置の動作を示すフローチャート。
【図４】第二実施例のＯＶＰＮ構成図。
【図５】第二実施例の拠点装置の動作を示すフローチャート。
【図６】第三実施例のＯＶＰＮ終端装置の要部ブロック構成図。
【図７】第四実施例の拠点装置における切り分け試験構成を示す図。
【図８】従来のＯＶＰＮ構成例を示す図。
【符号の説明】
１、３、５、６、１２３、１２４、１２５  光専用線
１０、１１、１２、５０、７０  光クロスコネクト装置
１３、１４、１５  ＯＶＰＮ制御端末
２０−１〜４、２１−１〜４  ユーザ装置
２３−１〜３、２４−１〜３  拠点装置
２５、３５  障害検出部
２６、３６  代行処理要求部
２７、３７  データベース
２８  ユーザサービス部
３０、３０−１〜３、８０  ＯＶＰＮ終端装置
３１、８１  光スイッチ制御装置
３２、８２  光スイッチ
３３、３４  コンバータ
４０、６０  網制御装置
９０  折り返し制御器
９１  光スイッチ
【図１】
2004193660.tif 000003
【図２】
2004193660.tif 000004
【図３】
2004193660.tif 000005
【図４】
2004193660.tif 000006
【図５】
2004193660.tif 000007
【図６】
2004193660.tif 000008
【図７】
2004193660.tif 000009
【図８】
2004193660.tif 000010